(57)【要約】【課題】  被写体を撮影するレンズの変更時、別途で画角を調整しなければならない不便さを解決するため画角調整が可能な撮影装置及びその制御方法を提供することにある。【解決手段】  撮影装置は、第１の撮影モードが選択されれば第１のズームレンズに被写体を撮影する第１のカメラ、及び第２の撮影モードが選択されれば第２のズームレンズに被写体を撮影する第２のカメラを有するカメラ部と、第１及び第２のズームレンズの位置を検出する検出部と、撮影モードが第１の撮影モードから第２の撮影モードに変更されれば、第１の撮影モードに対応する第１のズームレンズの位置、及び第２の撮影モードに対応する第２のズームレンズの位置を検出部し、検出された第１のズームレンズの位置値を第２のズームレンズの位置値に設定する制御部とを含む。【選択図】      図３
2004170979.tif 000002
【特許請求の範囲】
【請求項１】
第１の撮影モードが選択されれば第１のズームレンズの位置にて被写体を撮影する第１のカメラと、第２の撮影モードが選択されれば第２のズームレンズの位置にて前記被写体を撮影する第２のカメラとを有するカメラ部と、
該カメラ部の撮影モードを検知するモード検知部と、
前記第１の撮影モードに対応する前記第１のズームレンズの位置と、前記第２の撮影モードに対応する前記第２のズームレンズの位置と、を検出する検出部と、
前記モード検知部の出力信号により前記撮影モードが前記第１の撮影モードから第２の撮影モードに選択/変更されたと判断されれば、既選択された前記第１の撮影モードに対応する前記第１のズームレンズの位置、及び後選択された前記第２の撮影モードに対応する前記第２のズームレンズの位置を検出するよう前記検出部を制御し、前記検出部から検出された前記第１及び第２のズームレンズの位置を比較して相違であると判断されれば、前記第１のズームレンズの位置値を前記第２のズームレンズの位置値に設定する制御部とを含む撮影装置。
【請求項２】
前記第１及び第２のズームレンズの位置に対するそれぞれの画角を算出する画角算出部を更に含み、
前記制御部は、前記第１及び第２の撮影モードにそれぞれ対応する前記第１及び第２のズームレンズの倍率が同一であるかを判断し相違であると判断されれば、前記第２のズームレンズを所定方向に移動させながら前記画角算出部から順に算出される画角と既算出された前記第１のズームレンズの画角とを比較して前記第１及び第２のズームレンズの画角の差異が最小値を表す位置を前記第２のズームレンズの位置値に設定することを特徴とする請求項１に記載の撮影装置。
【請求項３】
前記第１のカメラは前記第１の撮影モードである静画を撮影するためのデジタルスチールカメラであり、前記第２のカメラは前記第２の撮影モードである動画を撮影するためのデジタルビデオカメラであることを特徴とする請求項１に記載の撮影装置。
【請求項４】
前記第１及び第２のカメラは、前記カメラに互いに対向されるよう配されることを特徴とする請求項１に記載の撮影装置。
【請求項５】
前記第１及び第２のカメラを介して撮影された前記被写体の映像信号が格納され、前記本体に着脱自在な格納部とを更に含むことを特徴とする請求項１に記載の撮影装置。
【請求項６】
前記カメラ部は、本体に所定角度で回転自在に備えられることを特徴とする請求項１に記載の撮影装置。
【請求項７】
前記モード検知部は、前記カメラ部の回転に対応して前記撮影モードを検知することを特徴とする請求項１に記載の撮影装置。
【請求項８】
第１の撮影モードが選択されれば第１のズームレンズの位置で被写体を撮影する第１のカメラと、第２の撮影モードが選択されれば第２のズームレンズの位置で前記被写体を撮影する第２のカメラとを有し、本体に所定角度で回転自在に備えられるカメラ部と、前記カメラ部の回転に対応して撮影モードを検知するモード検知部と、前記第１及び第２のズームレンズの位置を検出する検出部と、撮影された前記被写体の映像信号を格納する格納部と、前記各部を制御する制御部とを含む撮影装置の制御方法において、
前記モード検知部からの出力信号により前記撮影モードが前記第１の撮影モードから前記第２の撮影モードに選択/変更されたと判断されれば、既に選択された前記第１の撮影モードに対応する前記第１のズームレンズの位置を検出する（ａ）ステップと、
後に選択された前記第２の撮影モードに対応する前記第２のズームレンズの位置を検出する（ｂ）ステップと、
前記（ａ）及び（ｂ）ステップにて検出された前記第１及び第２のズームレンズの位置を比較して相違であると判断されれば、前記第１のズームレンズの位置値を前記第２のズームレンズの位置値に設定する（ｃ）ステップとを含むことを特徴とする撮影装置の制御方法。
【請求項９】
前記モード検知部からの出力信号により前記撮影モードが前記第１の撮影モードから前記第２の撮影モードに選択/変更されたと判断されれば、前記第１及び第２の撮影モードに対応する前記第１及び第２のズームレンズの倍率が同一であるかを判断する（ｄ）ステップと、
前記（ｄ）ステップにて前記第１及び第２のズームレンズの倍率が相違であると判断されれば、前記第１及び第２のズームレンズの位置に対するそれぞれの画角を算出する（ｅ）ステップと、
前記第２のズームレンズを所定方向に移動させながら順に算出される画角と既算出された前記第１のズームレンズの画角とを比較する（ｆ）ステップと、
前記第１のズームレンズの画角と順に算出される前記第２のズームレンズの画角との差異が最小値を表す位置を前記第２のズームレンズの位置値に設定する（ｇ）ステップとを更に含むことを特徴とする請求項８に記載の撮影装置の制御方法。
【請求項１０】
前記第１のカメラは前記第１の撮影モードである静画を撮影するためのデジタルスチールカメラであり、前記第２のカメラは前記第２の撮影モードである動画を撮影するためのデジタルビデオカメラであることを特徴とする請求項８に記載の撮影装置の制御方法。
【発明の詳細な説明】
【技術分野】
【０００１】
本発明は撮影装置及びその制御方法に関し、特に、被写体を撮影するレンズ変更時にレンズの変更と共に変更される画角を調整するための撮影装置及びその制御方法に関する。
【背景技術】
【０００２】
一般に、デジタルビデオカメラ（以下、ＤＶＣと称する）は、主に動画を記録及び再生する撮影装置であって、静画を撮影するのも可能であるがデジタルスチールカメラ（以下、ＤＳＣと称する）に比べてその画質が落ちる。反面、ＤＳＣはＤＳＣに備えられる映像記録媒体の用量が狭小するため主に静画を記録及び再生する。
【０００３】
かかるＤＳＣ、ＤＶＣなどのようなデジタル撮影装置は最近幅広く普及されており、次第にＤＶＣとＤＳＣとを並行して使用するユーザの需要も増加している。よって、ＤＶＣを用いてＤＳＣ機能を行なう撮影装置が開発されている。
【０００４】
図１は、従来のデジタルビデオカメラ機能にデジタルスチールカメラ機能が備えられた撮影装置のブロック図である。撮影装置１００は、入力部１０５、ＤＶＣレンズ群１１０、レンズ駆動部１１５、撮像部１２０、信号変換部１２５、バッファ１３０、静画コーデック部１３５、フラッシュメモリ１４０、動画コーデック部１４５、テープ１５０、及び制御部１５５を有する。
【０００５】
入力部１０５は、静画モードを選択するためのフォトキー１０５ａ、動画モードを選択するための録画キー１０５ｂ、及び撮影装置１００の操作のための多数の機能キー（図示せず）を備える。
【０００６】
ＤＶＣレンズ群１１０は、被写体を拡大及び/または縮小するズームレンズと被写体及びズームレンズの位置に応じて焦点を調節するフォーカスレンズからなる。
【０００７】
レンズ駆動部１１５は、後述する制御部１５５からの制御に応じてズームレンズ及び/またはフォーカスレンズを移動させるモータである。
【０００８】
撮像部１２０は、ＤＶＣレンズ群１１０を透過した被写体の映像信号を電荷結合素子を用いて電気信号に変換する。
【０００９】
信号変換部１２５は、撮像部１２０から出力される電子信号に含まれたノイズの除去及び電気信号に変換された映像信号のレベルが一定に出力されるよう利得を増幅する。さらに、信号変換部１２５は電気信号に変換されたアナログ映像信号をデジタル映像信号に変換する。
【００１０】
バッファ１３０は、信号変換部１２５から出力される信号を臨時的に格納する。
【００１１】
静画コーデック部１３５は、バッファ１３０から出力される静画信号をＪＰＥＧのような符号化方式を用いて圧縮する。圧縮された静画符号化データは、フラッシュメモリ１４０に格納される。さらに静画コーデック部１３５は入力部１０５から再生命令信号が印加されれば、制御部１５５の制御下でフラッシュメモリ１４０に格納されたた符号化データの圧縮を解除する。
【００１２】
動画コーデック部１４５は、制御部１５５の制御によりバッファ１３０から出力される動画信号をＭＰＥＧのような符号化方式を用いて圧縮する。圧縮された動画符号化データはテープ１５０に格納される。また、動画コーデック部１４５は入力部１０５から再生命令信号が印加されれば、制御部１５５の制御によりテープ１５０に格納された符号化データの圧縮を解除する。
【００１３】
制御部１５５は、入力部１０５に備えられたフォトキー１０５ａ及び録画キー１０５ｂの選択信号に応じてバッファ１３０に格納された被写体の映像信号がフラッシュメモリ１４０またはテープ１５０に格納されるようにする。
【００１４】
しかし、前述のような従来の撮影装置１００は、動画撮影をメーンとし静画撮影は付加的に行なうことによって、動画の場合において解像度及び画質は優れるものの、静画の解像度及び画質は低下される問題点を抱えている。
【００１５】
よって、ＤＳＣとＤＶＣが一体化されたコンボ型撮影装置（図示せず）が開発された。しかし、ＤＳＣとＤＶＣの撮影画角が相違である場合、ＤＳＣを用いて被写体を静画に撮影する途中ＤＶＣを用いて動画に撮影しようとする時、ユーザはＤＶＣの撮影画角をＤＳＣの撮影画角と同様にさせるため画角を調整しなければならない不具合が生じる。
【発明の開示】
【発明が解決しようとする課題】
【００１６】
本発明は、前述した従来の問題を解決するために案出されたもので、その目的は、被写体を撮影するレンズの変更時、別に画角を調整しなければならない不便さを解決するための画角調整が可能な撮影装置及びその制御方法を提供することにある。
【課題を解決するための手段】
【００１７】
前述した技術的課題を解決するために、本発明に係る撮影装置は、第１の撮影モードが選択されれば第１のズームレンズの位置にて被写体を撮影する第１のカメラ、及び第２の撮影モードが選択されれば第２のズームレンズの位置にて前記被写体を撮影する第２のカメラを有し、本体に所定角度で回転自在に備えられるカメラ部と、該カメラ部の回転に対応して撮影モードを検知するモード検知部と、前記第１の撮影モードに対応する前記第１のズームレンズの位置、及び前記第２の撮影モードに対応する前記第２のズームレンズの位置を検出する検出部と、前記モード検知部の出力信号により前記撮影モードが前記第１の撮影モードから前記第２の撮影モードに選択/変更されたと判断されれば、既選択された前記第１の撮影モードに対応する前記第１のズームレンズの位置、及び後選択された前記第２の撮影モードに対応する前記第２のズームレンズの位置を検出するよう前記検出部を制御し、前記検出部から検出された前記第１及び第２のズームレンズの位置を比較して相違であると判断されれば、前記第１のズームレンズの位置値を前記第２のズームレンズの位置値に設定する制御部と、前記第１及び第２のカメラを介して撮影された前記被写体の映像信号が格納され、前記本体に着脱自在な格納部とを含む。
【００１８】
さらに詳しくは、前記第１及び第２のズームレンズの位置に対するそれぞれの画角を算出する画角算出部を更に含み、前記制御部は、前記第１及び第２の撮影モードにそれぞれ対応する前記第１及び第２のズームレンズの倍率が同一であるかを判断し相違であると判断されれば、前記第２のズームレンズを所定方向に移動させながら前記画角算出部から順に算出される画角と既算出された前記第１のズームレンズの画角とを比較して前記第１及び第２のズームレンズの画角の差異が最小値を表す位置を前記第２のズームレンズの位置値に設定する。
【００１９】
さらに、前記第１のカメラは前記第１の撮影モードである静画を撮影するためのデジタルスチールカメラであり、前記第２のカメラは前記第２の撮影モードである動画を撮影するためのデジタルビデオカメラであり、前記第１及び第２のカメラは、前記カメラに互い対向されるよう配される。
【００２０】
一方、前述のような技術的な課題を解決するための、本発明に係る第１の撮影モードが選択されれば第１のズームレンズの位置で被写体を撮影する第１のカメラと、第２の撮影モードが選択されれば第２のズームレンズの位置で前記被写体を撮影する第２のカメラとを有し、本体に所定角度で回転自在に備えられるカメラ部と、前記カメラ部の回転に対応して撮影モードを検知するモード検知部と、前記第１及び第２のズームレンズの位置を検出する検出部と、撮影された前記被写体の映像信号を格納する格納部と、前記各部を制御する制御部と、を含む撮影装置の制御方法において、前記モード検知部からの出力信号により前記撮影モードが前記第１の撮影モードから前記第２の撮影モードに選択/変更されたと判断されれば、既選択された前記第１の撮影モードに対応する前記第１のズームレンズの位置を検出する（ａ）ステップと、後選択された前記第２の撮影モードに対応する前記第２のズームレンズの位置を検出する（ｂ）ステップと、前記（ａ）及び（ｂ）ステップにて検出された前記第１及び第２のズームレンズの位置を比較し相違であると判断されれば、前記第１のズームレンズの位置値を前記第２のズームレンズの位置値に設定する（ｃ）ステップとを含む。
【００２１】
より詳しくは、前記モード検知部からの出力信号により前記撮影モードが前記第１の撮影モードから前記第２の撮影モードに選択/変更されたと判断されれば、前記第１及び第２の撮影モードに対応する前記第１及び第２のズームレンズの倍率が同一であるかを判断する（ｄ）ステップと、前記（ｄ）ステップにて前記第１及び第２のズームレンズの倍率が相違であると判断されれば、前記第１及び第２のズームレンズの位置に対するそれぞれの画角を算出する（ｅ）ステップと、前記第２のズームレンズを所定方向に移動させながら順に算出される画角と既算出された前記第１のズームレンズの画角とを比較する（ｆ）ステップと、前記第１のズームレンズの画角と順に算出される前記第２のズームレンズの画角の差異が最小値を表す位置を前記第２のズームレンズの位置値に設定する（ｇ）ステップとを更に含む。
【発明の効果】
【００２２】
本発明にかかる画角調整が可能な撮影装置及びその制御方法によれば、被写体を撮影するレンズの位置が変更される際、変更以前のレンズに設定された撮影画角及び変更以降のレンズに設定された撮影画角が同一であるか、または類似するよう変更以降のレンズの位置を撮影装置が自動に調整することが可能である。これにより、ユーザからの別の操作なしに画角が調整及び維持されることによりレンズの変更以降撮影される被写体の画角が以前と同一になるよう操作する紛らわしさが解除できる。
【発明を実施するための最良の形態】
【００２３】
以下、添付した図面に基づき本発明をさらに詳細に説明する。
【実施例】
【００２４】
図２は、本発明の良好な実施例にかかるデジタルスチールカメラとデジタルビデオカメラが一体化された撮影装置を示す斜視図であり、図３は図２に示された撮影装置を概略的に示すブロック図である。
【００２５】
図２及び図３を参照すると、本発明に係る撮影装置２００は本体２１０、カメラ部２２０、モード検知部２３０、ＤＳＣ信号変換部２４０、ＤＶＣ信号変換部２４５、静画コーデック部２５０、動画コーデック部２５５、格納部２６０、入力部２７０、表示部２８０、及び制御部２９０を有する。
【００２６】
カメラ部２２０は、本体２１０に所定の角度で回転自在に設けられるハウジング２１５、静画を撮影する第１のカメラ（以下、ＤＳＣと称する）２２２、及び動画を撮影する第２のカメラ（以下、ＤＶＣと称する）２２４を備える。
【００２７】
この際、ＤＳＣ２２２及びＤＶＣ２２４は互いに対向されるよう配される。言い換えれば、図２のようにＤＳＣ２２２のＤＳＣレンズ群２２２ａが撮影方向（Ａ）に向かうようハウジング２１５の一端に設けられれば、ＤＶＣ２２４のＤＶＣレンズ群２２４ａはハウジング２１５の反対側の他端に設けられる。
【００２８】
従って、カメラ部２２０は回転軸（Ｘ）を基準にして図示された時計まわり、あるいは反時計まわりに所定の角度回転し、ＤＳＣレンズ群２２２ａ及びＤＶＣレンズ群２２４ａが撮影方向（Ａ）と平行に維持する角度分回転されることが好ましい。つまり、図２にてハウジング２１５が手動で１８０°回転されればＤＳＣレンズ群２２２ａ及びＤＶＣレンズ群２２４ａの位置は相互交替されることが好ましい。
【００２９】
さらに、カメラ部２２０のレンズ群２２２ａ及びＤＶＣレンズ群２２４ａのうち何れの１つは回転角度、-３６０°ないし＋３６０°で撮影可能である。例えばカメラ部２２０の長手方向が本体２１０の長手方向について垂直に交差する状態で回転されてもカメラ部２２０は被写体を撮影することが可能である。
【００３０】
ＤＳＣ２２２は、ＤＳＣレンズ群２２２ａ、ＤＳＣ駆動部２２２ｂ、ＤＳＣ検出部２２２ｃ、ＤＳＣ撮像部２２２ｄを含む。
【００３１】
ＤＳＣレンズ群２２２ａは、静画を撮影するためのもので、被写体を拡大及び/または縮小する、少なくとも１つの第１のズームレンズ（以下、ＤＳＣズームレンズと称する）（図示せず）及び被写体とＤＳＣズームレンズの位置に応じて焦点を調節する、少なくとも１つの第１のフォーカスレンズ（以下、ＤＳＣフォーカスレンズと称する）（図示せず）からなる。
【００３２】
ＤＳＣ駆動部２２２ｂは、後述する制御部２９０の制御に応じてＤＳＣズームレンズ（図示せず）及びＤＳＣフォーカスレンズ（図示せず）を移動させる。
【００３３】
ＤＳＣ検出部２２２ｃは、制御部２９０の制御に応じてＤＳＣズームレンズ（図示せず）及びＤＳＣフォーカスレンズ（図示せず）の位置を検出するセンサーであって、フォト・インタラプトを使用することが好ましい。
【００３４】
ＤＳＣ撮像部２２２ｄは、ＤＳＣズームレンズ（図示せず）及びＤＳＣフォーカスレンズ（図示せず）を透過した被写体の映像信号を電荷接合素子を用いて電気的な映像信号に変換する。
【００３５】
かかるＤＳＣ２２２は、ユーザによって被写体を撮影するためのカメラが変更されれば、つまり、第１の撮影モード（例えば、静画モード）が選択されればＤＳＣズームレンズ（図示せず）の位置についての画角で被写体を撮影する。
【００３６】
ＤＶＣ２２４は、ＤＶＣレンズ群２２４ａ、ＤＶＣ駆動部２２４ｂ、ＤＶＣ検出部２２４ｃ、及びＤＶＣ撮像部２２４ｄを有する。
【００３７】
ＤＶＣレンズ群２２４ａは、動画を撮影するためのもので、被写体を拡大及び/または縮小する、少なくとも１つの第２のズームレンズ（以下、ＤＶＣズームレンズと称する）（図示せず）及び被写体とＤＶＣズームレンズの位置に応じて焦点を調節する、少なくとも１つの第２のフォーカスレンズ（以下、ＤＶＣフォーカスレンズと称する）（図示せず）からなる。
【００３８】
ＤＶＣ駆動部２２４ｂは、後述する制御部２９０の制御に応じてＤＶＣズームレンズ（図示せず）及びＤＶＣフォーカスレンズ（図示せず）を移動させる。
【００３９】
ＤＶＣ検出部２２４ｃは、制御部２９０の制御に応じて第２のズームレンズ（図示せず）及び第２のフォーカスレンズ（図示せず）の位置を検出するセンサーであって、フォト・インタラプトを使用することが好ましい。
【００４０】
ＤＶＣ撮像部２２４ｄは、ＤＶＣズームレンズ（図示せず）及びＤＶＣフォーカスレンズ（図示せず）を透過した被写体の映像信号を電荷接合素子を用いて電気的な映像信号に変換する。
【００４１】
かかるＤＶＣ２２４は、ユーザによって被写体を撮影するためのカメラが変更されれば、つまり、第２の撮影モード（例えば、動画モード）が選択されればＤＶＣズームレンズ（図示せず）の位置についての画角で被写体を撮影する。
【００４２】
モード検知部２３０は、カメラ部２２０の回転に対応して撮影モードを検知する。詳細に説明すると、モード検知部２３０はカメラ部２２０の回転角度によって、ＤＳＣ２２２及びＤＶＣ２２４に対応される撮影モードを検知する。以下ではＤＳＣ２２２で被写体を撮影するモードは第１の撮影モード（以下、静画モードと称する）、ＤＶＣ２２４で被写体を撮影するモードは第２の撮影モード（以下、動画モードと称する）と称し、その他にも多様な実施例が可能である。
【００４３】
このようなモード検知部２３０は、カメラ部２２０の回転に応じてＤＳＣ２２２及びＤＶＣ２２４のうち何れの１つはオンさせ、他の１つはオフさせる切り換えスイッチで具現できる。
【００４４】
図４は、図３に図示されたモード検知部の一例である切り換えスイッチを概略的に示す斜視図である。切り換えスイッチは本体２１０に備えられる第１及び第２の接続パターン２３２、２３４と、第１及び第２の接続パターン２３２、２３４のうち何れの１つと接続されるべくハウジング２１５に備えられた接続端子２３６を含む。本体２１０とハウジング２１５のそれぞれはホールｈ１、ｈ２が向い合って回転自在に結合される。従って、接続端子２３６は、本体２１０に対するハウジング２１５の回転角度によって第１の接続パターン２３２または第２の接続パターン２３４と接触される。
【００４５】
本発明において、第１の接続パターン２３２はＤＳＣ２２２と連結され、第２の接続パターン２３４はＤＶＣ２２４と接続されることにする。この際に接続端子２３６が第１の接続パターン２３２と接触される位置にあればＤＳＣ２２２はオン状体になり、ＤＶＣ２２４はオフ状体になる。これにより、被写体はＤＳＣ２２２により撮影され、制御部２９０は撮影モードを静画モードとして判断する。
【００４６】
図２及び図３を参照すると、本体２１０にはＤＳＣ信号変換部２４０、ＤＶＣ信号変換部２４５、静画コーデック部２５０、動画コーデック部２５５、格納部２６０、入力部２７０、表示部２８０、及び制御部２９０が内蔵されている。
【００４７】
ＤＳＣ信号変換部２４０及びＤＶＣ信号変換部２４５は、それぞれＤＳＣ撮像部２２２ｄ及びＤＶＣ撮像部２２４ｄから出力される電気的信号に含まれているノイズの除去及び電気的信号に変換された映像信号のレベルが一定に出力されるべく利得を増幅する。さらに、ＤＳＣ信号変換部２４０及びＤＶＣ信号変換部２４５は、それぞれ電気的信号に変換されたアナログ映像信号をデジタル映像信号に変換した後、デジタル処理して自動制御データを出力する。
【００４８】
静画コーデック部２５０は制御部２９０の制御に応じて、ＤＳＣ信号変換部２４０から出力される静画信号をＪＰＥＧのような圧縮方式を用いて圧縮する。圧縮された静画データは格納部２６０のフラッシュメモリ２６２のような格納媒体に格納される。
【００４９】
動画コーデック部２５５は、制御部２９０の制御に応じて、ＤＶＣ信号変換部２４５から出力される動画信号をＭＰＥＧのような圧縮方式を用いて圧縮する。圧縮された動画データは格納部２６０のテープ２６４のような格納媒体に格納される。
【００５０】
さらに、後述する入力部２７０から格納された映像信号に対する再生命令信号が入力されれば、静画コーデック部２５０及び動画コーデック部２５５は制御部２９０の制御下でそれぞれフラッシュメモリ２６２及びテープ２６４に格納された符号化データの圧縮を解除する。
【００５１】
例えば、入力部２７０から静画に対する再生命令信号が入力されれば、静画コーデック部２５０はフラッシュメモリ２６２に格納された静画符号化データを圧縮解除した後、表示部２８０に出力する。
【００５２】
入力部２７０は、被写体に対する撮影命令信号を制御部２９０に印加するための撮影キー２７０ａ及び多数の機能を果たすための操作ボタン（図示せず）を有する。
【００５３】
表示部２８０は、本体２１０の一側に備えられるビューファインダー２８２またはＬＣＤパネル２８４を有する。表示部２８０はＤＳＣ２２２またはＤＶＣ２２４を介して撮影される映像若しくは圧縮解除された映像を制御部２９０の制御に応じて表示する。
【００５４】
制御部２９０は、格納部２６０に格納された種々の制御プログラム及びＤＳＣ信号変換部２４０またはＤＶＣ信号変換部２４５から出力される自動制御データを用いて撮影装置２００の全般の動作を制御する。
【００５５】
制御部２９０は、モード検知部２３０からの出力信号により撮影モードを判断した後、判断された撮影モードに対応するカメラ部２２０を駆動させる。例えば、モード検知部２３０からＤＳＣ２２２はオン状態でありＤＶＣ２２４はオフ状態であることを示す信号が入力されれば、制御部２９０はカメラ部２２０の撮影モードが静画モードであると判断する。
【００５６】
そして、撮影キー２７０ａから撮影命令信号が印加されれば、制御部２９０は静画モードに対応するＤＳＣを駆動させる。さらに、制御部２９０は入力部２７０から録画命令信号が印加されれば撮影された被写体の映像信号を圧縮するよう静画コーデック部２５０を制御し、再生命令信号が印加されれば圧縮された映像信号の圧縮を解除するよう静画コーデック部２５０を除去した後、表示部２８０にディスプレーされるようにする。
【００５７】
以下、撮影装置２００に電源が供給された場合、被写体を撮影する撮影モードの変更時に制御部２９０が自動で画角を調整する方法について詳細に説明する。
【００５８】
図５は、図３において撮影モード変更時、カメラの撮影画角を調整する制御部の制御方法を説明するためのフローチャートである。
【００５９】
図３及び図５を参照すると、本発明に係る撮影装置２００に電源がオンされれば、制御部２９０はモード検知部２３０からの出力信号により撮影装置２００に設定された撮影モードを判断する。例えば、撮影装置２００の電源がオンされる前にカメラ部２２０の撮影モードが静画モードの状態であれば、制御部２９０は電源がオンされる時に撮影装置２００の撮影モードが静画モードであると判断する。
【００６０】
静画モードで被写体を撮影する途中、ユーザにより被写体を撮影するカメラが取り替えられれば、つまり、カメラ部２２０が所定の角度回転されれば、モード検知部２３０は撮影モードの変更信号を出力する。
【００６１】
撮影モード変更信号が制御部２９０に入力されれば（Ｓ５００）、制御部２９０はＤＳＣズームレンズ（図示せず）及びＤＶＣズームレンズ（図示せず）の倍率が同一であるかを確認する（Ｓ５１０）。ＤＳＣズームレンズ（図示せず）が静画モードで被写体を撮影するＤＳＣレンズ群２２２ａに備えられたレンズであり、ＤＶＣズームレンズは動画モードで被写体を撮影するＤＶＣレンズ群２２４ａに備えられたレンズである。
【００６２】
Ｓ５１０ステップの判断の結果、ＤＳＣズームレンズ（図示せず）及びＤＶＣズームレンズ（図示せず）の倍率が同一であると判断されれば、制御部２９０は既選択されたＤＳＣズームレンズ（図示せず）の位置を検出するようＤＳＣ検出部２２２ｃを制御する（Ｓ５２０）。そして制御部２９０は後選択されたＤＶＣズームレンズ（図示せず）の位置を検出するようＤＶＣ検出部２２４ｃを制御する（Ｓ５３０）。
【００６３】
Ｓ５２０ステップ及びＳ５３０ステップの完了後、制御部２９０はＤＳＣズームレンズ（図示せず）及びＤＶＣズームレンズ（図示せず）の位置を比較して相違であると判断されれば、既選択されたＤＳＣズームレンズ（図示せず）の検出された位置値を後選択されたＤＶＣズームレンズ（図示せず）の位置値に設定する（Ｓ５４０）。詳細に説明すると、制御部２９０はＳ５２０ステップ及びＳ５３０ステップにおいて検出されたＤＳＣズームレンズ（図示せず）の位置値とＤＶＣズームレンズ（図示せず）の位置値との差異を算出した後、その差異の分ＤＶＣズームレンズ（図示せず）を移動させる。
【００６４】
例えば、ＤＳＣズームレンズ（図示せず）の位置値がＤＶＣズームレンズ（図示せず）の位置値より大きければ、ＤＳＣズームレンズ（図示せず）の撮影画角がＤＶＣズームレンズ（図示せず）の撮影画角より小さい場合であるため、制御部２９０はＤＶＣズームレンズ（図示せず）が高倍率方向（つまり、画角が小さくなる方向）に移動され、その差異値の分移動されるようにＤＶＣ駆動部２２４ｂを制御する。
【００６５】
一方、Ｓ５１０ステップにてＤＳＣズームレンズ（図示せず）及びＤＶＣズームレンズ（図示せず）の倍率が相違であると判断されれば、制御部２９０は既選択されたＤＳＣズームレンズ（図示せず）及びＤＶＣズームレンズ（図示せず）の位置に対応する撮影画角を算出する（Ｓ５５０）。
【００６６】
Ｓ５５０ステップが完了されれば、制御部２９０はＤＶＣ駆動部２２４ｂを駆動させてＤＶＣズームレンズ（図示せず）を所定の方向に移動させながら順に画角を算出し、また順に算出されるＤＶＣズームレンズ（図示せず）の画角とＳ５５０ステップにて既算出されたＤＳＣズームレンズ（図示せず）との画角を比較する（Ｓ５６０）。
【００６７】
Ｓ５６０ステップにてＤＳＣズームレンズ（図示せず）及びＤＶＣズームレンズ（図示せず）との画角の差異が最小値を示す位置が検出されれば、制御部２９０は最小値を示す位置でＤＶＣ駆動部２２４ｂの駆動を中止させ、最小値を示す位置をＤＶＣズームレンズ（図示せず）の位置値に設定する（Ｓ５７０）。
【００６８】
前述のようなＤＳＣ２２２とＤＶＣ２２４が一体化されたコンボ型撮影装置２００は、撮影装置２００の電源がオフされる前、またはモード変更前の撮影モードについてのズームレンズの位置値を格納することが好ましい。これは、ユーザがＤＳＣ２２２及びＤＶＣ２２４の位置を変えた後、撮影装置２００の電源をオンさせた場合使用するに当って容易である。
【００６９】
さらに、前述のようなＤＳＣ２２２とＤＶＣ２２４が一体化されたコンボ型撮影装置２００は、ユーザがＤＶＣ２２４を使って所定の画角で被写体を撮影する途中、ＤＳＣ２２２を用いて静画で撮影したい場合に有効に使用できる。即ち、ＤＶＣ２２４からＤＳＣ２２２に変更して被写体を撮影する際、ＤＶＣ２２４での画角と同一な画角を有するようユーザが画角を操作しなくて済むのである。
【００７０】
さらに、本発明の他の実施例にかかる撮影装置（図示せず）の多数のカメラ、つまり、多数のズームレンズを用いて被写体を監視/撮影する監視装置（図示せず）にも適用可能である。即ち、所定の第１の監視装置で監視/撮影する途中、他の第２の監視装置で被写体を監視/撮影したい場合、第１の監視装置の撮影画角と最も類似した撮影画角を有するべく第２の監視装置のズームレンズ位置を制御することにより、ユーザが別途に画角を調整しなくて済む。
【００７１】
以上では、本発明の好適な実施例について図示し説明したが、本発明は、前述の特定の実施例に限定されず、請求の範囲で請求する本発明の要旨を逸脱することなく当該発明の属する技術分野における通常の知識を有するものであれば誰でも各種の変形実施が可能であることはもとより、そのような変更は、請求の範囲記載の範囲内にある。
【産業上の利用可能性】
【００７２】
本発明は、被写体を撮影するレンズ変更時にレンズの変更と共に変更される画角を調整することができる撮影装置に適用可能である。
【図面の簡単な説明】
【００７３】
【図１】従来のデジタルビデオカメラ機能にデジタルスチールカメラ付きの撮影装置を示すブロック図である。
【図２】本発明の良好な実施例にかかるデジタルスチールカメラとデジタルビデオカメラとが一体化された撮影装置を示す斜視図である。
【図３】図２の示された撮影装置を示すブロック図である。
【図４】図３に示されたモード検知部の一例である切り換えスイッチを概略的に示す斜視図である。
【図５】図３で撮影モードの変更時にカメラの撮影画角を調整する制御部の制御方法を説明するためのフローチャートである。
【符号の説明】
【００７４】
２００    撮影装置
２１０    本体
２１５    ハウジング
２２０    カメラ部
２２２    第１のカメラ（ＤＳＣ）
２２２ａ  ＤＳＣレンズ群
２２２ｂ  ＤＳＣ駆動部
２２２ｃ  ＤＳＣ検出部
２２２ｄ  ＤＳＣ撮像部
２２４    第２のカメラ（ＤＶＣ）
２２４ａ  ＤＶＣレンズ群
２２４ｂ  ＤＶＣ駆動部
２２４ｃ  ＤＶＣ検出部
２２４ｄ  ＤＶＣ撮像部
２３０    モード検知部
２３２    第１の接続パターン
２３４    第２の接続パターン
２３６    接続端子
２４０    ＤＳＣ信号変換部
２４５    ＤＶＣ信号変換部
２５０    静画コーデック部
２５５    動画コーデック部
２６０    格納部
２６２    フラッシュメモリ
２６４    テープ
２７０    入力部
２７０ａ  撮影キー
２８０    表示部
２８２    ビューファインダー
２８４    ＬＣＤパネル
２９０    制御部
【図１】
2004170979.tif 000003
【図２】
2004170979.tif 000004
【図３】
2004170979.tif 000005
【図４】
2004170979.tif 000006
【図５】
2004170979.tif 000007